(57)【要約】【課題】人の顔を正面、左側面、右側面から見た状態を同時に表示することができる三面鏡システムを提供する。【解決手段】第１のカメラ３１Ｂで撮影された画像を正面視画像表示部２１Ｂに、第２のカメラ３１Ａで撮影された画像を左側面視画像表示部２１Ａに、第３のカメラ３１Ｃで撮影された画像を左側面視画像表示部３１Ｃに同時にリアルタイムに表示することができるとともに、各画像は記憶手段５に記憶され後から同時に再生することが可能である。【選択図】図４
2017097151.tif 000002
【特許請求の範囲】
【請求項１】
対面するモニタと、
モニタに対面している人の顔を正面から撮影する第１のカメラと、
前記人の顔を左側面から撮影する第２のカメラと、
前記人の顔を右側面から撮影する第３のカメラと
前記第１のカメラ、前記第２のカメラ、前記第３のカメラによって撮影された画像間の同期をとる同期手段と、
前記同期手段によって同期された画像を記憶する記憶手段と、からなり、
前記モニタは、前記記憶手段によって記憶された画像を正面視、左側面視、右側面視の３つの画像として同時に表示することを特徴とする三面鏡システム。
【発明の詳細な説明】
【技術分野】
【０００１】
本発明は、人の顔を正面及び左右両側面から見た状態を同時に見ることができる三面鏡システムに関する。
【背景技術】
【０００２】
従来、例えば、眼鏡ショップにおいて、眼鏡フレームや眼鏡のレンズの色が自分に合っているか否かを確認する際、店頭に設置してある鏡を使用するのが一般的である。この確認の際、普段眼鏡を常用している人は、自身の眼鏡を外してレンズが装着されていない眼鏡フレームを装用して確認することから、鏡に映った自身の姿をはっきりと視認することができず、その眼鏡フレームが自身に最適であるのか否かの判断が難しいといった問題が生ずる。
【０００３】
このような問題を解決すべく開発されたのが特許文献１に記載の眼鏡の選択サポートシステムである。この眼鏡の選択サポートシステムは、各種眼鏡フレームＦを装用して撮像手段２の鏡面パネル８で顔を確認しつつ、画像取込み窓９から取込んだ顔画像をＣＣＤカメラ等の撮像器１３で撮影し、撮影した画像をディスプレイ４に表示して好みの眼鏡フレームＦを選択する。その後、ディスプレイ４の画面上で、眼鏡フレームＦのレンズ部を着色領域として指定し、コンピュータ３に登録した色々な色彩を選んで各種着色レンズを模擬し、好みの眼鏡を選択することができるように構成されている。
【先行技術文献】
【特許文献】
【０００４】
【特許文献１】特開平１１−３５３３５３号公報
【発明の概要】
【発明が解決しようとする課題】
【０００５】
このシステムを使用すれば、従来生じていた上記問題を解決することはできる。しかしながら、画像取込窓９が正面にしか設けられていないことから、顔面の側面方向から見た状態を同時に視認することができない等いった問題が生ずる。
【０００６】
本発明はこのような事情に鑑みてなされたもので、顔面の正面及び左右両側面を同時に視認することが可能な三面鏡システムを提供することを目的とする。
【課題を解決するための手段】
【０００７】
前記の目的を達成するために、本発明の三面鏡システムは、対面するモニタと、モニタに対面している人の顔を正面から撮影する第１のカメラと、前記人の顔を左側面から撮影する第２のカメラと、前記人の顔を右側面から撮影する第３のカメラと、前記第１のカメラ、前記第２のカメラ、前記第３のカメラによって撮影された画像間の同期をとる同期手段と、前記同期手段によって同期された画像を記憶する記憶手段と、からなり、前記モニタは、前記記憶手段によって記憶された画像を正面視、左側面視、右側面視の３つの画像として同時に表示することを特徴とする。
【０００８】
本発明の三面鏡システムによれば、対面するモニタと、モニタに対面している人の顔を正面から撮影する第１のカメラと、前記人の顔を左側面から撮影する第２のカメラと、前記人の顔を右側面から撮影する第３のカメラと、前記第１のカメラ、前記第２のカメラ、前記第３のカメラによって撮影された画像間の同期をとる同期手段と、前記同期手段によって同期された画像を記憶する記憶手段と、からなり、前記モニタは、前記記憶手段によって記憶された画像を正面視、左側面視、右側面視の３つの画像として同時に表示するように構成した。これにより、顔面の正面及び左右両側面を同時に視認することができるという効果がある。
【図面の簡単な説明】
【０００９】
【図１】本発明の三面鏡システムの構成を説明するための模式図。
【図２】本発明の三面鏡システムのシステム構成を示すブロック図。
【図３】本発明の三面鏡システムの使用状態を示す模式図。
【図４】モニタに映し出された画像を示す模式図。
【発明を実施するための形態】
【００１０】
以下、本発明を実施するための形態について、図面を参照しながら説明する。
【００１１】
図１に示すとおり、本発明の三面鏡システム１は、対面するモニタ２と、モニタ２に対面している人の顔を正面から撮影する第１のカメラ３１Ｂと、人の顔を左側面から撮影する第２のカメラ３１Ａと、人の顔を右側面から撮影する第３のカメラ３１Ｃを備えた撮影手段３からなる。
【００１２】
モニタ２は、第１のカメラ３１Ｂが撮影した画像を表示する正面視画像表示部２１Ｂと、第２のカメラ３１Ａが撮影した画像を表示する左側面視画像表示部２１Ａと、第３のカメラ３１Ｃが撮影した画像を表示する右側面視画像表示部２１Ｃとから構成されている。なお、本実施形態においては、これら表示部２１Ａ、２１Ｂ、２１Ｃは、画像処理によって３つの領域に分割表示されているものである。
【００１３】
次に本発明の三面鏡システム１のシステム構成について図２を参照して説明する。モニタ２にはマイクロコンピュータ４が接続されており、マイクロコンピュータ４は、各カメラ３１Ａ、３１Ｂ、３１Ｃによって撮影された画像の同期をとる同期手段、モニタ２に画像を表示させる際に画像処理を行う画像処理手段、各カメラ３１Ａ、３１Ｂ、３１Ｃによって撮影された画像をハードディスクやＳＳＤ等からなる記憶手段５に記憶させる手段として機能する。
【００１４】
次に図２、図３及び図４を参照して本発明の三面鏡システム１の動作処理について説明する。図３に示すとおり、三面鏡システム１を使用するユーザＭは、モニタ２に対面して座る。すると、第１のカメラ３１Ｂでは顔を正面から見た状態を撮影し、第２のカメラ３１Ａでは顔を左側面から見た状態を撮影し、第３のカメラ３１Ｃでは顔を右側面から見た状態を撮影する。この際、各カメラ間の同期をとり、リアルタイムに第１のカメラ３１Ｂで撮影した画像が正面視画像表示部３１Ｂに表示され、第２のカメラ３１Ａで撮影した画像が左側面視画像表示部３１Ａに表示され、第３のカメラ３１Ｃで撮影した画像が右側面視画像表示部３１Ｃに表示される。この状態を示したものが図４であり、同時に各画像は記憶手段５に記憶される。なお、画像は静止画であっても動画であってもよい。
【００１５】
このように撮影され記憶された画像は、後から再生してモニタ２に表示させることができる。
【００１６】
以上のように本発明の三面鏡システムは構成されていることから、顔の正面画像だけでなく、左右両側面からの画像をも同時にリアルタイムで表示することができるとともに、表示された画像は記憶手段に記憶され、後から再生可能であるので、眼鏡のフィッティングや色合いをチェックする際に好適である。なお、送受信手段を設ければ、例えば、撮影した画像を外部に送ったり、送った画像に修正を加えて修正後の画像を受信することができるので、眼鏡のフィッティングやレンズの色を選択する際に便利である。また、モニタにタッチパネル機能を設ければ、モニタに表示された画像にその場で修正を加えたり、スクロールしたりすることができ便利である。
【符号の説明】
【００１７】
１      三面鏡システム
２      モニタ
２１Ａ  左側面視画像表示部
２１Ｂ  正面視画像表示部
２１Ｃ  右側面視画像表示部
３      撮影手段
３１Ｂ  第１のカメラ
３１Ａ  第２のカメラ
３１Ｃ  第３のカメラ
４      マイクロコンピュータ
５      記憶手段
【図１】
2017097151.tif 000003
【図２】
2017097151.tif 000004
【図３】
2017097151.tif 000005
【図４】
2017097151.tif 000006